(57)【特許請求の範囲】
【請求項１】
基板を洗浄するために用いられる洗浄部材であって、
前記基板を洗浄する際に前記基板と接触し、スキン層に覆われていない平坦な先端面と、
基部側に設けられてスキン層で覆われた被覆部と、先端側に設けられてスキン層で覆われていない露出部と、を有した周縁部と、
を備えていることを特徴とする洗浄部材。
【請求項２】
前記露出部の高さは、１ｍｍ〜５ｍｍであることを特徴とする請求項１に記載の洗浄部材。
【請求項３】
前記先端面と反対側に設けられた基端面がスキン層で覆われていないことを特徴とする請求項１又は２のいずれかに記載の洗浄部材。
【請求項４】
前記洗浄部材はペンシル洗浄部材であることを特徴とする請求項１乃至３のいずれか１項に記載の洗浄部材。
【請求項５】
前記洗浄部材はノジュールであることを特徴とする請求項１乃至３のいずれか１項に記載の洗浄部材。
【請求項６】
前記露出部は、先端側でテーパー形状となり、その縦断面の形状が台形状となっている、又は先端側で段階的に小さくなり、その縦断面の形状が階段形状となっていることを特徴とする請求項１乃至５のいずれか１項に記載の洗浄部材。
【請求項７】
基板洗浄に用いられる洗浄部材であって、
スポンジ部を備えたペンシル洗浄部材であり、
前記スポンジ部は、
スキン層に覆われていない基端面と、
前記基板を洗浄する際に前記基板と接触し、スキン層に覆われていない平坦な先端面と、
前記スポンジ部の基部側に設けられてスキン層で覆われた被覆部と、前記スポンジ部の先端側に設けられてスキン層で覆われていない露出部と、を有した周縁部と、
を有することを特徴とする洗浄部材。
【請求項８】
基板を洗浄するために用いられる洗浄部材であって、
前記基板を洗浄する際に前記基板と接触し、スポンジ部が露出する平坦な先端面と、
基部側に設けられスポンジ部を被覆する被覆部と、先端側に設けられスポンジ部が露出する露出部と、を有した周縁部と、
を備えたことを特徴とする洗浄部材。
【請求項９】
前記露出部の縦断面の形状が四角形状になっていることを特徴とする請求項１乃至５、７及び８のいずれか１項に記載の洗浄部材。
【請求項１０】
基板を保持する基板保持部と、
前記基板を洗浄するために用いられ、請求項１乃至９のいずれか１項からなる洗浄部材と、
を備えたことを特徴とする基板洗浄装置。
【請求項１１】
ハウジングと、
基板を研磨する研磨ユニットと、
研磨後の前記基板を洗浄する、請求項１０に記載の基板洗浄装置と、
洗浄後の前記基板を乾燥させる乾燥ユニットと、
を備えた基板処理装置であって、
前記基板処理装置を制御する制御部と、
情報を記憶する記憶部と、
を備えたことを特徴とする基板処理装置。
【発明の詳細な説明】
【技術分野】
【０００１】
本発明は、半導体ウェハ等の基板を洗浄するために用いられる洗浄部材及び基板洗浄装置に関する。
【背景技術】
【０００２】
従来から、ＣＭＰの洗浄に用いられる洗浄部材として、スキン層が形成されたものが知られている。このような洗浄部材を製造する際には、モールド形成して、接触面のみを切削し、型の内側接触面に対向する面（洗浄部材の側面）に、スキン層が形成されるように加工している。このスキン層をもった洗浄部材を用いると、スポンジからなる内部に比べて、連続気孔の気孔径が小さくその気孔率が低いため、内部に多くの液体を保持させることが可能であるとともに、表面から内部の液体が流出し難く、所望の吸水性能や給水性能を得ることができる。さらに、このような洗浄部材を用いると、洗浄部材由来のパーティクルの発生が抑制でき、また、部材を長寿命化できるといったメリットがある。一例として、特許文献１には、スキン層を有する軸付きスポンジが開示されている。
【０００３】
例えばＣＭＰの洗浄に用いられる洗浄部材として、スキン層が側面に設けられたものを用いると、側面のスキン層が接触面に入り込み、接触汚染を引き起こす懸念がある（円周方向にむらが生じる可能性がある。）（図１２参照）。
【０００４】
他方で、側面にスキン層が設けられていない態様によれば、側面に衝突した洗浄液が洗浄部材内に入ってしまい、洗浄液に含まれるパーティクルが洗浄部材内に入り混んでしまい、その結果、基板に当該パーティクルが付着してしまうことがある。また、スキン層が設けられていないと、強度が弱くなるうえ、洗浄特性を維持できないこともある。このため、スキン層が完全に設けられていない洗浄部材は好ましいものではない。
【先行技術文献】
【特許文献】
【０００５】
【特許文献１】特開２０１１−５６３８２号公報
【発明の概要】
【発明が解決しようとする課題】
【０００６】
近年の半導体デバイスの微細化に伴って、洗浄装置等の基板処理装置における洗浄度への要求も高まってきている。このため、洗浄部材自身から生じる汚れについても対応することが要求されている。
【０００７】
本発明は、このような点を鑑みてなされたものであり、洗浄液に含まれるパーティクルが内部に入り混んでしまうことを極力防止しつつ、スキン層に由来する汚れを防止する洗浄部材及び基板洗浄装置を提供する。
【課題を解決するための手段】
【０００８】
本発明による洗浄部材は、
基板を洗浄するために用いられる洗浄部材であって、
前記基板を洗浄する際に前記基板と接触し、スキン層に覆われていない先端面と、
基部側に設けられて周縁表面がスキン層で覆われた被覆部と、先端側に設けられて周縁表面がスキン層で覆われていない露出部と、を有した周縁部と、
を備えている。
【０００９】
本発明による洗浄部材において、
前記露出部の高さは、前記洗浄部材を押し込んだ際に圧縮される押し込み長さ以上となっていてもよい。
【００１０】
本発明による洗浄部材において、
前記露出部の高さは、１ｍｍ〜５ｍｍであってもよい。
【００１１】
本発明による洗浄部材において、
基端面がスキン層で覆われていなくてもよい。
【００１２】
本発明による洗浄部材において、
前記洗浄部材はペンシル洗浄部材であってもよい。
【００１３】
本発明による洗浄部材において、
前記洗浄部材はノジュールであってもよい。
【００１４】
本発明による洗浄部材において、
前記洗浄部材の先端部は、先端側の断面積が基端側の断面積と比較して小さくなってもよい。
【００１５】
本発明による基板洗浄装置は、
基板を保持する基板保持部と、
前記基板を洗浄するために用いられ、前述した洗浄部材と、
を備える。
【本発明の効果】
【００１６】
本発明によれば、洗浄部材の先端面はスキン層で覆われておらず、かつ、洗浄部材の周縁部は、基部側に設けられ、周縁表面がスキン層で覆われた被覆部と、先端側に設けられ、周縁表面がスキン層で覆われていない露出部と、を有している。このため、洗浄液に含まれるパーティクルが内部に入り混んでしまうことを極力防止しつつ、スキン層が基板と接触することを防止でき、スキン層が基板と接触することで接触汚染が引き起こされることを極力防止できる。
【図面の簡単な説明】
【００１７】
【図１】図１は、本発明の第１の実施の形態による基板洗浄装置を含む基板処理装置の全体構成を示す上方平面図である。
【図２】図２は、本発明の実施の形態による第１基板洗浄装置の斜視図である。
【図３】図３は、本発明の実施の形態による第２基板洗浄装置の斜視図である。
【図４】図４は、本発明の実施の形態による第２基板洗浄装置で用いられうるペンシル洗浄部材の一態様を示した斜視図である。
【図５】図５（ａ）−（ｇ）は、本発明の実施の形態で用いられる洗浄部材の様々な態様を示した側方断面図である。
【図６】図６は、本発明の実施の形態で用いられる洗浄部材で基板を洗浄する際の態様を示した側方断面図である。
【図７】図７（ａ）（ｂ）は、本発明の実施の形態の変形例で用いられる洗浄部材の態様を示した側方断面図である。
【図８】図８（ａ）は、スポンジ部を５０倍に拡大して示したＳＥＭ写真であり、図８（ｂ）は、スポンジ部を２５０倍に拡大して示したＳＥＭ写真である。
【図９】図９（ａ）（ｂ）は、スキン層を５０倍に拡大して示したＳＥＭ写真であり、図９（ｃ）は、スキン層を２５０倍に拡大して示したＳＥＭ写真である。
【図１０】図１０（ａ）は、スポンジ部を５０倍に拡大して示した写真であり、図１０（ｂ）は、スポンジ部を５０倍に拡大して示した３Ｄの写真であり、図１０（ｃ）は、スポンジ部を５０倍に拡大して示したレーザーによる測定結果を示したものである。
【図１１】図１１（ａ）は、スキン層を５０倍に拡大して示した写真であり、図１１（ｂ）は、スキン層を５０倍に拡大して示した３Ｄの写真であり、図１１（ｃ）は、スキン層を５０倍に拡大して示したレーザーによる測定結果を示したものである。
【図１２】図１２は、スキン層が洗浄部材（ペンシル洗浄部材）の側面に設けられた態様で基板を洗浄した際の洗浄後の基板表面の一例を示す写真であり、細かなゴミが基板に付着していることを示すための写真である。
【発明を実施するための形態】
【００１８】
実施の形態
《構成》
以下、本発明に係る基板洗浄装置を有する基板処理装置の実施の形態について、図面を参照して説明する。ここで、図１乃至図１１は本発明の実施の形態を説明するための図である。
【００１９】
図１に示すように、基板処理装置は、略矩形状のハウジング１１０と、多数の基板Ｗをストックする基板カセットが載置されるロードポート１１２と、を有している。ロードポート１１２は、ハウジング１１０に隣接して配置されている。ロードポート１１２には、オープンカセット、ＳＭＩＦ（Standard Mechanical Interface）ポッド又はＦＯＵＰ（Front Opening Unified Pod）を搭載することができる。ＳＭＩＦポッド及びＦＯＵＰは、内部に基板カセットを収納し、隔壁で覆うことにより、外部空間とは独立した環境を保つことができる密閉容器である。基板Ｗとしては、例えば半導体ウェハ等を挙げることができる。
【００２０】
ハウジング１１０の内部には、複数（図１に示す態様では４つ）の研磨ユニット１１４ａ〜１１４ｄと、研磨後の基板Ｗを洗浄する第１基板洗浄装置５０及び第２基板洗浄装置５５と、洗浄後の基板Ｗを乾燥させる乾燥ユニット６０とが収容されている。研磨ユニット１１４ａ〜１１４ｄは、基板処理装置の長手方向に沿って配列され、基板洗浄装置５０，５５及び乾燥ユニット６０も基板処理装置の長手方向に沿って配列されている。
【００２１】
ロードポート１１２、ロードポート１１２側に位置する研磨ユニット１１４ａ及び乾燥ユニット６０に囲まれた領域には、第１搬送ロボット１２２が配置されている。また、研磨ユニット１１４ａ〜１１４ｄ並びに基板洗浄装置５０，５５及び乾燥ユニット６０と平行に、搬送ユニット６５が配置されている。第１搬送ロボット１２２は、研磨前の基板Ｗをロードポート１１２から受け取って搬送ユニット６５に受け渡したり、乾燥ユニット６０から取り出された乾燥後の基板Ｗを搬送ユニット６５から受け取ったりする。
【００２２】
第１基板洗浄装置５０と第２基板洗浄装置５５との間に、これら第１基板洗浄装置５０と第２基板洗浄装置５５の間で基板Ｗの受け渡しを行う第２搬送ロボット６６が配置され、第２基板洗浄装置５５と乾燥ユニット６０との間に、これら第２基板洗浄装置５５と乾燥ユニット６０の間で基板Ｗの受け渡しを行う第３搬送ロボット６７が配置されている。さらに、ハウジング１１０の内部には、基板処理装置の各機器の動きを制御する制御部１５０と、様々な情報を記憶する記憶部１５５が配置されている。本実施の形態では、ハウジング１１０の内部に制御部１５０及び記憶部１５５が配置されている態様を用いて説明するが、これに限られることはなく、ハウジング１１０の外部に制御部１５０及び／又は記憶部１５５が配置されてもよい。本実施の形態では、基板洗浄装置５０，５５の外方に制御部１５０及び記憶部１５５が配置されていても、制御部１５０及び記憶部１５５が基板洗浄装置５０，５５の一機能として利用されているので、基板洗浄装置５０，５５がこれら制御部１５０及び記憶部１５５を有しているものとして説明する。
【００２３】
以下では、第１基板洗浄装置５０としてロール洗浄装置が使用され、第２基板洗浄装置５５としてペンシル洗浄装置が使用されている態様を用いて説明するが、これに限られることはない。
【００２４】
第１基板洗浄装置５０として第２基板洗浄装置５５と同様のペンシル洗浄装置を使用したり、二流体ジェットにより基板Ｗの表面を洗浄する二流体ジェット洗浄装置を使用したりしてもよい。また、第２基板洗浄装置５５として第１基板洗浄装置５０と同様のロール洗浄装置を使用したり、二流体ジェットにより基板Ｗの表面を洗浄する二流体ジェット洗浄装置を使用したりしてもよい。
【００２５】
図２に示すロール洗浄装置（第１基板洗浄装置５０）は、洗浄液の存在下で、基板Ｗの直径のほぼ全長にわたって直線状に延びるロール洗浄部材５２，５３を接触させ、基板Ｗに平行な中心軸周りに自転させながら基板Ｗの表面をスクラブ洗浄する。図３に示すペンシル洗浄装置（第２基板洗浄装置５５）は、洗浄液の存在下で、鉛直方向に延びる円柱状のペンシル洗浄部材１０ｂの下端接触面を接触させ、ペンシル洗浄部材１０ｂを自転させながら一方向に向けて移動させて、基板Ｗの表面をスクラブ洗浄する。
【００２６】
乾燥ユニット６０としては、水平に回転する基板Ｗに向けて、移動する噴射ノズルからＩＰＡ蒸気を噴出して基板Ｗを乾燥させ、さらに基板Ｗを高速で回転させて遠心力によって基板Ｗを乾燥させるスピン乾燥ユニットが使用されてもよい。
【００２７】
図２に示すように、第１基板洗浄装置５０は、基板回転機構として、表面を上にして基板Ｗの周縁部を支持し基板Ｗを水平回転させる、水平方向に移動自在な複数本（図２では４本）のスピンドル５１と、図示しないロールホルダに回転自在に支承される第１ロール洗浄部材（ロールスポンジ）５２と、図示しないロールホルダに回転自在に支承される第２ロール洗浄部材（ロールスポンジ）５３と、を有している。第１ロール洗浄部材５２及び第２ロール洗浄部材５３は、円柱状であり、長尺状に延びており、例えばＰＶＡからなる。なお、第１ロール洗浄部材５２は、そのロールホルダによって基板Ｗの表面に対して昇降自在となり、第２ロール洗浄部材５３は、そのロールホルダによって基板Ｗの裏面に対して昇降自在となってもよい。
【００２８】
第１ロール洗浄部材５２は、図示しない駆動機構によって回転し、第２ロール洗浄部材５３は、図示しない駆動機構によって回転してもよい。スピンドル５１で支持して回転させる基板Ｗの上方に位置して、基板Ｗの表面に洗浄液を供給する２つの供給ノズル２１ａ，２１ｂが配置されている。供給ノズル２１ａは、例えば基板Ｗの表面にリンス液（例えば、超純水）を供給するノズルであってもよく、供給ノズル２１ｂは、例えば基板Ｗの表面に薬液を供給するノズルであってもよい。
【００２９】
第１基板洗浄装置５０は、スピンドル５１の上部に設けたコマ５１ａの外周側面に形成した嵌合溝内に基板Ｗの周縁部を位置させて内方に押し付けてコマ５１ａを回転（自転）させることにより、基板Ｗを水平に回転させる。この例では、４個のコマ５１ａのうち２個のコマ５１ａが基板Ｗに回転力を与え、他の２個のコマ５１ａは、基板Ｗの回転を受けるベアリングの働きをしている。なお、全てのコマ５１ａを駆動機構に連結して、基板Ｗに回転力を付与するようにしてもよい。
【００３０】
第１ロール洗浄部材５２及び／又は第２ロール洗浄部材５３は、その表面に複数のノジュール１０ａが設けられていてもよい。この複数のノジュールは、互いに等間隔の距離を隔てて配置されていてもよい。図２に示す態様では、第１ロール洗浄部材５２がノジュール１０ａを有する態様になっているが、これに限られることはない。また、第１ロール洗浄部材５２及び／又は第２ロール洗浄部材５３内には洗浄液が供給され、この洗浄液が少なくともノジュールの先端側から基板Ｗに供給されてもよい。より具体的には、第１ロール洗浄部材５２及び／又は第２ロール洗浄部材５３の筒形状の本体内に洗浄液が供給され、この洗浄液がノジュールの先端から基板Ｗに供給されつつ、ノジュールによって基板Ｗが洗浄されてもよい。
【００３１】
図３に示すように、第２基板洗浄装置５５は、基板回転機構として、第１基板洗浄装置５０と同様の複数本（図３では４本）のスピンドル５１と、昇降可能な鉛直方向に延びる支柱５６と、一端が支柱５６の先端に回転可能に取り付けられ、水平方向に延びるアーム５７と、アーム５７の他端の下面に回転可能に取り付けられた円柱状のペンシル洗浄部材１０ｂと、を有している。また、第１基板洗浄装置５０と同様、スピンドル５１で支持して回転させる基板Ｗの上方に位置して、基板Ｗの表面に洗浄液を供給する２つの供給ノズル２１ａ，２１ｂが配置されている。供給ノズル２１ａは、基板Ｗの表面にリンス液（例えば、超純水）を供給するノズルであり、供給ノズル２１ｂは、基板Ｗの表面に薬液を供給するノズルであってもよい。
【００３２】
ペンシル洗浄部材１０ｂは、洗浄部材保持部１に保持されてアーム５７の先端部の下面に回転可能に設けられ、図示しない駆動機構によってその中心軸を回転軸として回転（自転）する。この回転軸は基板Ｗに垂直な軸である。ペンシル洗浄部材１０ｂは、例えばＰＶＡからなる。アーム５７が支柱５６の周りで回転すると、アーム５７の先端部に取り付けられたペンシル洗浄部材１０ｂは、円弧状の軌跡を描いて基板Ｗの上を移動する。アーム５７の先端部は基板Ｗの中心Ｏまで延びていてもよく、この態様を採用した場合には、このペンシル洗浄部材１０ｂの移動軌跡は、基板Ｗの中心Ｏを通過することになる。また、ペンシル洗浄部材１０ｂは、基板Ｗの外周まで移動させられてもよい。また、アーム５７の回転によるペンシル洗浄部材１０ｂの移動軌跡は、アーム５７の長さを半径とする円弧状となり、その移動範囲は、基板Ｗの外周から基板Ｗの中心Ｏを過ぎたところまでとなってもよい。
【００３３】
アーム５７の先端には、洗浄部材保持部１が設けられている。この洗浄部材保持部１は、図４に示すように、保持芯体３、スリーブ４及びリング部材５を有してもよい。
【００３４】
保持芯体３は、基端側で外径寸法が大きくなった保持芯本体部３ｂと、保持芯本体部３ｂの下端面に形成された複数の突起３ａと、を有してもよい。保持芯本体部３ｂには、ネジ等の締結部材６が通過する貫通穴３ｃが形成されてもよい。
【００３５】
スリーブ４は、複数のチャック爪４ａを有してもよい。チャック爪４ａの内周面で洗浄部材１０の基端が挿入される挿入穴７が形成されてもよい。スリーブ４の基端面には、ネジ６等の締結部材が螺入されるネジ穴４ｃが形成されてもよい。スリーブの先端側の外周面には突起部４ｄが形成され、突起部４ｄの基端側の外周面には突起４ｅが形成されてもよい。
【００３６】
リング部材５はその内径がスリーブ４の外周と略同じ円筒体となっており、内周面にはスリーブ４の突起４ｅが嵌合する溝５ａが形成されてもよい。
【００３７】
ペンシル洗浄部材１０ｂは、略円筒形状の基端部１０ｂ1と、基端部１０ｂ1よりも径の大きな略円筒形状の先端部１０ｂ2とを有してもよい。
【００３８】
保持芯体３はスリーブ４の中央の穴にその鍔体３ｂの下面がスリーブ４の上端面に当接するまで挿入されてもよい。この状態で、ネジ６等の締結部材によって、保持芯体３とスリーブ４を固着されてもよい。
【００３９】
ペンシル洗浄部材１０ｂの基端部が４本のチャック爪４ａの内周面で形成された挿入穴７に挿入され、次にリング部材５内にスリーブ４の嵌入することにより、外周方向に広がったチャック爪４ａは内周方向に押され、その内周面に設けられた突起４ｂが洗浄部材１０の外周に食い込み、洗浄部材１０をチャック爪４ａに充分な固着力で固着してもよい。また、保持芯体３の下端面に設けられた突起３ａも洗浄部材１０の上端面に食い込み、洗浄部材１０の固着力を増してもよい。また、リング部材５の内周面に設けられた溝５ａがチャック爪４ａの外周に形成された突起４ｅに嵌合し、リング部材５がスリーブ４に固定されてもよい。
【００４０】
本実施の形態では、図２及び図３に示すように、基板Ｗを支持する基板支持部としてスピンドル５１を用いて説明するが、これに限られることはなく、基板支持部として、基板Ｗを保持（本実施の形態では「支持」の概念に「保持」の概念が含まれている。）するチャックを用いてもよい。チャックを用いた場合には、チャックによって支持（保持）された基板Ｗを回転させる回転部がさらに設けられてもよい。なお、スピンドル５１を用いた場合には、基板Ｗは回転されつつ支持されることになり、スピンドル５１が回転部としての機能も果たすことになる。なお、図２及び図３では、水平方向に基板Ｗを支持した例を示したが、これに限定されず、例えば、縦方向（鉛直方向）に基板Ｗを支持する構成としてもよい。
【００４１】
また、本実施の形態では、基板支持部によって支持された基板Ｗに洗浄液を供給する供給部２０として、供給ノズル２１を有する態様を用いて説明するが、これに限られることはない。
【００４２】
本実施の形態の洗浄液には、純水（ＤＩＷ）等のリンス液と、アンモニア過酸化水素（ＳＣ１）、塩酸過酸化水素（ＳＣ２）、硫酸過酸化水素（ＳＰＭ）、硫酸加水、フッ酸等の薬液が含まれている。本実施の形態で特に断りのない限り、洗浄液は、リンス液又は薬液のいずれかを意味している。
【００４３】
以下では、基板洗浄装置で利用される洗浄部材１０について説明する。より具体的には、ペンシル洗浄部材１０ｂに利用される洗浄部材１０又はロール洗浄部材に設けられるそれぞれのノジュール１０ａに利用される洗浄部材１０について説明する。なお、特に断りのない限り、「基板洗浄装置」は、第１基板洗浄装置５０、第２基板洗浄装置５５、又は、第１基板洗浄装置５０及び第２基板洗浄装置５５の両方を意味している。
【００４４】
図５乃至図７に示すように、本実施の形態の洗浄部材１０は、基板Ｗを洗浄する際に基板Ｗと接触し、スポンジ部１２がスキン層１１に覆われていない先端面１３と、基部側に設けられ、スポンジ部１２の周縁表面がスキン層１１で覆われた被覆部１６と、先端側に設けられ、スポンジ部１２の周縁表面がスキン層１１で覆われていない露出部１７と、を有する周縁部と、を有している。本実施の形態の洗浄部材１０は、ノジュール１０ａ及びペンシル洗浄部材１０ｂを総称したものであり、特に断りがない限り、ノジュール１０ａ又はペンシル洗浄部材１０ｂのいずれかを意味している。
【００４５】
露出部１７の高さは、洗浄部材１０を押し込んだ際に圧縮される押し込み長さ以上となっていてもよい。この押し込み長さは、洗浄部材１０を押し込む際の力の大きさ及び洗浄部材１０の材質等によって決まる。予め実験を行うことで「押し込み長さ」を計測してもよいし、シミュレーションを用いて「押し込み長さ」を算出してもよい。また、仕様上の沈み込み量に基づき「押し込み長さ」を算出してもよく、この場合には、「押し込み長さ」は仕様上の沈み込み量以上となっていればよい。ちなみに、「仕様上の沈み込み量」とは、基板Ｗを回転させたり洗浄部材１０を回転させたりすることなく、所定の強さ（例えば２Ｎ）で押し込んだときの洗浄部材１０の沈み込み量を意味する。
【００４６】
洗浄部材１０をペンシル洗浄部材１０ｂで用いる場合と洗浄部材１０をノジュール１０ａで用いる場合とで、「押し込み長さ」を変えてもよい。ノジュール１０ａとして用いる場合の押し込み長さは、ペンシル洗浄部材１０ｂとして用いる場合の押し込み長さよりも短くなっていてもよい。
【００４７】
露出部１７の高さは、一例としては、１ｍｍ〜５ｍｍとなっていてもよい。また、洗浄部材１０をペンシル洗浄部材１０ｂで用いる場合には露出部１７の高さを１ｍｍ〜５ｍｍとし、洗浄部材１０をノジュール１０ａで用いる場合には露出部１７の高さを１ｍｍ〜３ｍｍとしてもよい。
【００４８】
図７（ａ）（ｂ）で示すように、洗浄部材１０は、基端面１８を有しており、この基端面１８はスキン層１１で覆われていなくてもよい。また、図７（ｂ）で示すように、基端側の周縁部１９もスキン層１１で覆われておらず、スポンジ部１２を露出する態様となっていてもよい。
【００４９】
洗浄部材１０の先端部は、先端側の断面積（横断面積）が基端側の断面積（横断面積）と比較して小さくなっていてもよい。一例としては、図５（ｂ）（ｃ）（ｄ）に示すように、洗浄部材１０の先端部がテーパー形状となり、その縦断面の形状が台形状となってもよいし、図５（ｅ）（ｆ）（ｇ）に示すように、洗浄部材１０の先端部が段階的に小さくなり、その縦断面の形状が階段形状となってもよい。露出部１７の断面積が被覆部１６の断面積よりも小さくなっている態様となってもよく、一例としては、露出部１７と被覆部１６の境界から連続的又は断続的に露出部１７の断面積が小さくなってもよいし（図５（ｂ）（ｆ）参照）、露出部１７と被覆部１６の境界よりも先端側で連続的又は断続的に露出部１７の断面積が小さくなってもよい（図５（ｃ）（ｅ）参照）。また、露出部１７と被覆部１６の境界よりも基端側から先端側に向かって、連続的又は断続的に露出部１７の断面積が小さくなってもよい（図５（ｄ）（ｇ）参照）。
【００５０】
なお、洗浄部材１０によって基板Ｗを洗浄する際には、進行方向と反対側の方向に基板Ｗからの摩擦を受けて、図６に示すように洗浄部材１０の先端部は進行方向と反対側に引っ張られるようになっている。このように反対側に引っ張られることで、仮に周縁部の先端までがスキン層１１で覆われていると、当該スキン層１１による接触汚染が基板Ｗに残ることになる（例えば、図１２参照）。
【００５１】
《作用・効果》
次に、上述した構成からなる本実施の形態による作用・効果であって、未だ説明していないものを中心に説明する。
【００５２】
本実施の形態によれば、洗浄部材１０の先端面１３はスキン層１１で覆われておらず、かつ、洗浄部材１０の周縁部は、基部側に設けられ、周縁表面がスキン層１１で覆われた被覆部１６と、先端側に設けられ、周縁表面がスキン層１１で覆われていない露出部１７と、を有している。このため、洗浄液に含まれるパーティクルが内部に入り混んでしまうことを極力防止しつつ、スキン層１１が基板Ｗと接触することを防止できる。このため、洗浄液に含まれるパーティクルによって基板Ｗが汚れることを防止しつつ、スキン層１１が基板Ｗと接触することで接触汚染が引き起こされることを極力防止できる。とりわけ、仕上げ洗浄の場合には、接触汚染による汚れでも問題となることがある。この点、本実施の形態によれば、このような接触汚染を極力防止できる点で有益である。
【００５３】
なお、スポンジ部１２を示した図８及び図１０と、スキン層１１を示した図９及び図１１とを比較すれば明らかなように、スポンジ部１２ではスキン層１１と比較して多孔率が高くなっている。このため、スポンジ部１２で基板Ｗを擦って洗浄しても接触汚染は起こりにくい。
【００５４】
露出部１７の高さが洗浄部材１０を押し込んだ際に圧縮される押し込み長さ以上となっている態様を採用することで、側面のスキン層１１が基板Ｗとの接触面に入り込み、接触汚染を引き起こすことをより確実に未然に防止できる。
【００５５】
露出部１７の高さが小さすぎる場合には、接触汚染を引き起こす。このことを考慮すると、露出部１７の高さは１ｍｍ以上であることが有益である。露出部１７の高さが高すぎる場合には、洗浄液に含まれるパーティクルが洗浄部材１０内に入り混んでしまい、その結果、基板に当該パーティクルが付着してしまうことがある。また、露出部１７の高さが高すぎる場合には、強度が十分ではなくなり、洗浄特性を維持できない可能性もある。これらのことを考慮すると、露出部１７の高さは５ｍｍ以下であることが有益である。なお、洗浄部材１０がノジュール１０ａである場合には、個々のノジュール１０ａには比較的弱い力しか加わらないことから、露出部１７の高さは３ｍｍ以下となっていてもよい。
【００５６】
基端面１８側から洗浄液が供給される態様の場合には、基端面１８側に供給された洗浄液を露出部１７から選択的に基板に供給できる点で有益である。このような態様としては、一例として、第１ロール洗浄部材５２及び／又は第２ロール洗浄部材５３の筒形状の本体内に洗浄液が供給され、この洗浄液がノジュールの先端から基板Ｗに供給されつつ、ノジュールによって基板Ｗが洗浄される場合を挙げることができる（図２参照）。この点、図７（ａ）（ｂ）に示すように、基端面１８がスキン層１１で覆われていない態様を採用した場合には、当該基端面１８を介して洗浄液を洗浄部材１０内に取り込むことができるので、供給された洗浄液を洗浄部材１０の先端面１３及び先端側の露出部１７から基板に効率よく提供できる点で有益である。とりわけ、図７（ｂ）に示すように、基端側の周縁部１９がスキン層１１で覆われておらず、スポンジ部１２が露出する態様となっている場合には、洗浄液をスポンジ部１２により容易に導くことができる点で有益である。
【００５７】
図５（ｂ）−（ｇ）に示すように、洗浄部材１０の先端部が、先端側の断面積（横断面積）が基端側の断面積（横断面積）と比較して小さくなっている態様を採用することで、洗浄部材１０の変形量を減らすことができ、基板に加わる力を安定させることができる点で有益である。とりわけ、本実施の形態では、周縁表面がスキン層１１で覆われていない露出部１７が先端側に設けられているので、洗浄部材１０の先端が広がりやすくなっている。このため、このような態様を採用することは、基板に加わる力を安定させる観点からは非常に有益である。
【００５８】
図５（ｂ）（ｃ）（ｄ）に示すように、洗浄部材１０の先端部がテーパー形状となり、その縦断面の形状が台形状となっている態様を採用した場合には、変形しやすい先端側に向かうにつれて徐々に細くすることができる点で有益である。他方、図５（ｅ）（ｆ）（ｇ）に示すように、洗浄部材１０の先端部が段階的に小さくなり、その縦断面の形状が階段形状となっている態様を採用した場合には、変形する洗浄部材１０の先端部の形状を段階的に変えることができる点で有益である。
【００５９】
図５（ｂ）（ｆ）に示すように、露出部１７と被覆部１６の境界から連続的又は断続的に露出部１７の断面積が小さくなる態様を採用した場合には、スキン層１１を先端側で削りとることで容易に製造できる点で有益である。図５（ｃ）（ｅ）に示すように、露出部１７と被覆部１６の境界よりも先端側で連続的又は断続的に露出部１７の断面積が小さくなっている態様を採用した場合には、変形しやすい露出部１７の断面積を確実に小さくできる点で有益である。図５（ｄ）（ｇ）に示すように、露出部１７と被覆部１６の境界よりも基端側から先端側に向かって、連続的又は断続的に露出部１７の断面積が小さくなっている態様を採用した場合には、露出部１７の変形量が大きくなり過ぎることを防止する効果を期待できる点で有益である。
【００６０】
上述した実施の形態の記載及び図面の開示は、特許請求の範囲に記載された発明を説明するための一例に過ぎず、上述した実施の形態の記載又は図面の開示によって特許請求の範囲に記載された発明が限定されることはない。
【符号の説明】
【００６１】
１０        洗浄部材
１０ｂ      ペンシル洗浄部材
１０ａ      ノジュール
１１        スキン層
１６        被覆部（周縁部）
１７        露出部（周縁部）
Ｗ          基板
【図１】
0006643942.tif 000002
【図２】
0006643942.tif 000003
【図３】
0006643942.tif 000004
【図４】
0006643942.tif 000005
【図５】
0006643942.tif 000006
【図６】
0006643942.tif 000007
【図７】
0006643942.tif 000008
【図８】
0006643942.tif 000009
【図９】
0006643942.tif 000010
【図１０】
0006643942.tif 000011
【図１１】
0006643942.tif 000012
【図１２】
0006643942.tif 000013